(57)【要約】【課題】この発明は手元スイッチを着脱するときに駆動源によって駆動される部分が誤動作することのないベッド装置を提供することにある。【解決手段】駆動源によって駆動される部分を有するベッド装置であって、  駆動源が設けられたベッドフレーム５と、ベッドフレームに設けられ駆動源の駆動を制御するためのコントローラ３１と、コントローラから導出された中継コード３２と、中継コードとシリアルバスコネクタ３４を介して着脱可能に接続される接続コード３６を有し駆動源をコントローラを介して駆動する手元スイッチ２１を具備する。【選択図】図２
2008295845.tif 000002
【特許請求の範囲】
【請求項１】
駆動源によって駆動される部分を有するベッド装置であって、
上記駆動源が設けられたベッド本体と、
このベッド本体に設けられ上記駆動源の駆動を制御するためのコントローラと、
このコントローラから導出された中継コードと、
この中継コードとシリアルバスコネクタを介して着脱可能に接続される接続コードを有し上記駆動源を上記コントローラを介して駆動する手元スイッチと
を具備したことを特徴とするベッド装置。
【請求項２】
上記シリアルバスコネクタはオス側端子部とメス側端子部とを有し、上記中継コードにはオス側端子部が接続され、上記手元スイッチの接続コードにはメス側端子部が接続されることを特徴とする請求項１記載のベッド装置。
【請求項３】
上記コントローラから導出された中継コードは複数の支線に分岐され、各支線の先端にはそれぞれ上記オス側端子部が接続されることを特徴とする請求項２記載のベッド装置。
【発明の詳細な説明】
【技術分野】
【０００１】
この発明は床板を複数の床部に分割し、一部の床部を駆動源によって起伏駆動して利用者の上半身を起こすことができるベッド装置に関する。
【背景技術】
【０００２】
一般にベッド装置は矩形枠状のベッドフレームを有する。このベッドフレームには上面にマットレスが載置される床板が設けられる。床板は複数の床部に分割され、そのうちの少なくとも利用者の上半身に対応する部分の床部を駆動機構によって起伏駆動できるようにしている。それによって、マットレス上に仰臥した利用者は上半身を起こし、その姿勢を楽に維持することができる。
【０００３】
上記駆動機構は駆動源を有し、この駆動源は上記ベッド本体に設けられたコントローラに電気的に接続されている。上記コントローラには手元スイッチが電気的に接続され、このコントローラによって上記駆動源を遠隔的に操作できるようになっている。つまり、一部の床部を起伏操作できるようになっている。
【０００４】
手元スイッチは、ベッド装置の設置状態などに応じてたとえばベッド本体の幅方向の一側に設けられている方が使い易い場合があったり、逆に他側に設けられている方が使い易いことがある。
【０００５】
さらに、手元スイッチは、ベッド本体の長手方向一端であるヘッドボード側に設けられている方が使い易いことがあったり、或いはベッド装置に仰臥した病人や老人などが操作できないようにフットボード側にあった方がよいこともある。つまり、手元スイッチはベッド装置の設置状態や他の条件などに応じて設ける場所を変えることができるようにすることが要求される。
【０００６】
そこで、従来は上記コントローラから導出される中継コードを複数の支線に分岐し、各支線をベッド本体の幅方向一側や他側或いは長手方向一端や他端に導出し、それた支線の先端にコネクタのメス側端子部を接続する。
【０００７】
一方、手元スイッチから導出された接続コードの先端には上記コネクタのオス側端子部を接続し、このオス側端子部をベッド本体の所望する位置にある上記メス側端子部に接続することで、上記駆動機構の駆動源を上記手元スイッチによって遠隔的に操作できるようにしている。
【０００８】
上記コントローラと上記手元スイッチは通常、電源線と信号セントによって電気的に接続される。したがって、上記コントローラから導出された中継コードと、手元スイッチから導出された接続コードを接続するための上記コネクタは、２つの電源用端子と、２つの信号用端子の、合計４つの端子を有する多端子コネクタが用いられる。
【０００９】
特許文献１には、ベッド装置の床板の床部を駆動するアクチュエータ（駆動源）を有し、このアクチュエータはコントローラに接続されている。このコントローラには手元スイッチが接続され、この手元スイッチによって上記コントローラを介して上記アクチュエータの駆動を制御することが示されている。  
しかしながら、手元スイッチとコントローラをどのようなコネクタによって電気的に接続するのかということはなんら示されていない。
【特許文献１】特開平９−１８７３３６号公報
【発明の開示】
【発明が解決しようとする課題】
【００１０】
上記多端子コネクタは、上述したようにオス側端子部とメス側端子部からなる。オス側端子部とメス側端子部にはそれぞれオス側とメス側の電源用端子と信号用端子が設けられ、これら端子を着脱するとき、電源用端子と信号用端子はほぼ同時に接続或いは切断される構造となっている。
【００１１】
しかしながら、オス側とメス側の端子部を着脱するとき、電源用端子と信号用端子のどちらが先に接続されたり、切断されるかは一定でなく、たとえば接続するときには電源端子よりも信号端子が先に接続されたり、取り外すときには信号端子よりも電源端子が先に切断されるということがある。  
つまり、オス側とメス側の端子部を着脱するとき、瞬間的に電源端子が接続されていない状態で、信号端子だけが接続された状態になるということがある。
【００１２】
そして、コントローラに通電された状態で、上述したように電源端子が接続されていない状態で信号端子だけが接続された状態になると、通信エラーが発生し、駆動源が誤動作するという虞があった。
【００１３】
この発明は、手元スイッチをベッド本体に接続したり、取り外すとき、電源端子が接続されていない状態で信号端子だけが接続されることがないようにしたベッド装置を提供することにある。
【課題を解決するための手段】
【００１４】
この発明は、駆動源によって駆動される部分を有するベッド装置であって、
上記駆動源が設けられたベッド本体と、
このベッド本体に設けられ上記駆動源の駆動を制御するためのコントローラと、
このコントローラから導出された中継コードと、
この中継コードとシリアルバスコネクタを介して着脱可能に接続される接続コードを有し上記駆動源を上記コントローラを介して駆動する手元スイッチと
を具備したことを特徴とするベッド装置にある。
【００１５】
上記シリアルバスコネクタはオス側端子部とメス側端子部とを有し、上記中継コードにはオス側端子部が接続され、上記手元スイッチの接続コードにはメス側端子部が接続されることが好ましい。
【００１６】
上記コントローラから導出された中継コードは複数の支線に分岐され、各支線の先端にはそれぞれ上記オス側端子部が接続されることが好ましい。
【発明の効果】
【００１７】
この発明によれば、コントローラの中継コードと、手元スイッチの接続コードをシリアルバスコネクタを用いて接続するため、シリアルバスコネクタのオス側端子部とメス側端子部を着脱する際、電源端子が接続された状態で信号端子が接続或いは遮断されるから、手元スイッチの取り付け位置を変更するとき、通信エラーによる駆動源の誤動作を招くのを防止することができる。
【発明を実施するための最良の形態】
【００１８】
以下、この発明の一実施の形態を図面を参照しながら説明する。
【００１９】
図１はこの発明の一実施の形態に係る起床式のベッド装置１を示し、このベッド装置１はベッド本体としてのベースフレーム２を備えている。このベースフレーム２の四隅部にはキャスタ３が設けられ、このキャスタ３によってベースフレーム２は移動可能になっている。なお、ベースフレーム２の長手方向一端には４つのキャスタ３を同時にロックしたり、ロック状態を解除することができるペダル４が設けられている。
【００２０】
上記ベースフレーム２の上方にはベッド本体としてのベッドフレーム５が設けられ、このベッドフレーム５は長手方向の一端と他端がリンク機構６によって連結されている。左右一対のリンク機構６は連動杆７によって連結されていて、この連動杆７は上記ベッドフレーム５の長手方向の一端部に設けられた昇降用駆動源８によって図１に矢印で示す方向に駆動されるようになっている。それによって、上記ベッドフレーム５は昇降駆動されるようになっている。
【００２１】
上記ベッドフレーム５の上面には床板１１が載置されている。この床板１１は背上げ床部１１ａ、腰床部１１ｂ、固定床部１１ｃ、第１の脚上げ床部１１ｄ及び第２の脚上げ床部１１ｅの５つに分割されている。隣り合う各床部は、互いに回動可能に連結され、上記固定床部１１ｃは上記ベッドフレーム５に固定されている。
【００２２】
上記ベッドフレーム５の長手方向一端部の下面には背上げ用駆動源１２と脚上げ用駆動源１３が設けられている。図２に示すように、各駆動源１２，１３はそれぞれ駆動軸１２ａ，１３ａを軸方向に進退駆動する。各駆動軸１２ａ，１３ａの先端は回転軸１２ｂ，１３ｂに一端が連結されたリンク１２ｃ，１３ｃ（図１に示す）の他端に連結される。
【００２３】
各回転軸１２ｂ，１３ｂにはそれぞれ一対の第１、第２のアーム１２ｄ，１３ｄ（図１に１つだけ図示）の一端が連結されている。各アーム１２ｄ，１３ｄの他端にはローラ１３ｅが設けられている第１のアーム１２ｄのローラ１２ｅは背上げ床部１１ａの下面に転接し、第２のアーム１３ｅのローラ１３ｅは第１の脚上げ床部１１ｄの下面に転接している。
【００２４】
上記背上げ用駆動源１２と脚上げ用駆動源１３が作動して各駆動源１２，１３が前進方向に駆動されると、リンク１２ｃ，１３ｃを介して回転軸１２ｂ，１３ｂが回転駆動される。それによって、第１のアーム１２ｄと第２のアーム１３ｄが起上方向に駆動されるから、その起上によって背上げ床部１１ａと第１の脚上げ床部１１ｄが各アーム１２ｄ，１３ｄの先端に設けられたローラ１２ｅ，１３ｅによって押圧されて上昇するようになっている。なお、上記第１の脚上げ床部１１ｄが起上させると、その起上に第２の脚上げ用床部１１ｅが連動する。それによって、第１の脚上げ用床部１１ｄと第２の脚上げ用床部１１ｅはほぼへの字状に屈曲する。
【００２５】
上記ベッドフレーム５の長手方向一端と他端の幅方向両端部にはそれぞれ取付け部１６が設けられている。長手方向一方の一対の取付け部１６には図１に示すようにヘッドボード体１７が着脱可能に設けられ、他方の一対の取付け部１４にはフットボード体１８が同じく着脱可能に設けられている。
【００２６】
上記昇降用駆動源８、背上げ用駆動源１２及び脚上げ用駆動源１３は図３に示す手元スイッチ２１によって遠隔的に駆動を制御できるようになっている。この手元スイッチ２１には、図３に示すようにベッドフレーム５を上昇させる上昇スイッチ２２、下降させる下降スイッチ２３、背上げ床部１１ａを起上方向に駆動する背上げスイッチ２４、倒伏方向に駆動する背下げスイッチ２５、第１の脚上げ床部１１ｄを起上方向に駆動する脚上げスイッチ２６、倒伏方向に駆動する脚下げスイッチ２７、さらに手元スイッチ２１の裏面にはたとえばボールペンの先などで押すことで手元スイッチ２１の各スイッチの操作をオン・オフすることのできる図示しないが押圧スイッチが設けられている。
【００２７】
上記ベッドフレーム５の下面の長手方向中央部で、幅方向の一端側寄りには、図１と図２に鎖線で示すコントローラ３１が設けられている。このコントローラ３１からは、内部に設けられた図示しない制御機器と電気的に接続された中継コード３２が導出されている。
【００２８】
この中継コード３２は分配器３３によって２つの支線３２ａ，３２ｂに分岐され、一方の支線３２ａはベッドフレーム５の幅方向一端からヘッドボード体１７側に導かれ、他方の支線３２ｂは幅方向他端からヘッドボード体１７側に導かれている。各支線３２ａ，３２ｂの先端にはそれぞれシリアルバスコネクタ３４を構成するオス側端子部３４ａが接続されている。
【００２９】
シリアルバスコネクタ３４としてはＵＳＢ１．１、ＵＳＢ２．０、ＥＩＡ−４８５、ＩＥＥＥ１３９４、ＰＣＩ  Ｅｘｐｒｅｓｓ、シリアルＡＴＡなどが知られており、この実施の形態では活線挿抜（ホットスワップ）可能なシリアルバスコネクタ３４が用いられている。
【００３０】
上記中継コード３２の支線３２ａ，３２ｂに設けられたシリアルバスコネクタ３４のオス側端子部３４ａには上記手元スイッチ２１が着脱可能に接続される。すなわち、手元スイッチ２１からは接続コード３６が導出されていて、この接続コード３６の先端には上記オス側端子部３４ａとでシリアルバスコネクタ３４を構成するメス側端子部３４ｂが接続されている。
【００３１】
そして、このメス側端子部３４ｂを２つの支線３２ａ，３２ｂに設けられたオス側端子部３４ａのいずれか一方に接続することで、上記手元スイッチ２１によって上記各駆動源８，１２，１３を作動させてベッドフレーム５を上下動させたり、背上げ用床部１１ａや第１、第２の脚上げ用床部１１ｄ，１１ｅを起伏駆動することができるようになっている。
【００３２】
詳細は図示しないが、上記シリアルバスコネクタ３４のオス側端子部３４ａとメス側端子部３４ｂには、それぞれ２つのオス側とメス側の電源端子と信号端子とが設けられている。そして、シリアルバスコネクタ３４の特性としてオス側端子部３４ａとメス側端子部３４ｂを接続するときには、電源端子が接続されてから信号端子が接続され、取り外すときには信号端子が遮断されてから電源端子が遮断されるようになっている。つまり、電源端子が接続されていない状態で信号端子だけが接続されることがないようになっている。
【００３３】
このような構成のベッド装置１によれば、コントローラ３１から導出された中継コード３２を２つの支線３２ａ，３２ｂに分岐し、それぞれの先端にシリアルバスコネクタ３４のオス側端子部３４ａを設けてベッドフレーム５の幅方向の一端と他端とに配置するようにした。
【００３４】
そのため、手元スイッチ２１の接続コード３６に接続されたメス側端子部３４ｂを、ベッドフレーム５の幅方向の一端或いは他端のオス側端子部３４ａに接続すれば、ベッド装置１の設置状態や利用者の要望などに応じて上記手元スイッチ２１をベッドフレーム５の幅方向一端側或いは他端側に設けることができる。
【００３５】
手元スイッチ２１の接続位置を変更するとき、シリアルバスコネクタ３４のオス側端子部３４ａに対して手元スイッチ２１のメス側端子部３４ｂを脱着することになる。その際、オス側端子部３４ａとメス側端子部３４ｂに設けられたそれぞれ２つの電源端子と信号端子は、シリアルバスコネクタ３４の特性上、電源端子が接続されていない状態で信号端子が接続されるという状態が発生することがない。  
そのため、オス側端子部３４ａとメス側端子部３４ｂを脱着するときに通信エラーが発生し、昇降用駆動源８、背上げ用駆動源１２或いは脚上げ用駆動源１３が誤動作するのを防止することができる。
【００３６】
ベッドフレーム５側にシリアルバスコネクタ３４のオス側端子部３４ａを設け、手元スイッチ２１側の接続コード３６にメス側端子部３４ｂを設けるようにした。たとえば、パソコンなどのようにシリアルバスコネクタ３４が使用されている一般的な機器の場合、本体側にはメス側端子部を設け、キーボードやマウスなどの付属品側にオス側端子部を設けるようにしている。
【００３７】
そのため、付属品に相当する上記手元スイッチ２１側をメス側端子部３４ｂとすれば、ベッドフレーム５のオス側端子部３４ａから取り外した手元スイッチ２１を、パソコンの本体に設けられたシリアルバスコネクタに誤って接続するようなことがないから、パソコンや手元スイッチ２１を故障や誤動作させるという虞もない。
【００３８】
つまり、手元スイッチ２１の接続コード３６にシリアルバスコネクタ３４のメス側端子部３４ｂを設けるようにしたから、この手元スイッチ２１をシリアルバスコネクタ３４が用いられた他の機器に誤って接続するのを確実に防止することができる。
【００３９】
なお、上記一実施の形態ではコントローラから導出された中継コードを２つの支線に分岐してベッドフレームの幅方向一端部と他端部に位置させてオス側端子部を設けるようにしたが、長手方向一端側と他端側に位置させるようにしてもよく、或いは中継コードを３つ以上の支線に分岐してベッドフレームの幅方向と長手方向とにそれぞれ位置させるようにしてもよい。
【００４０】
また、ベッド装置としては床板の一部が起伏駆動されるだけでなくベッドフレームが上下方向に駆動される構成を例に挙げて説明したが、ベッド装置の構成はそれに限定されず、たとえばフレームが上下方向に駆動されるだけの構成や床板の一部が起伏駆動されるだけの構成であっても差し支えなく、要は駆動源によって駆動される部分を有し、その部分を手元スイッチによって遠隔的に操作するようにしたベッド装置であれば、この発明を適用することができる。
【図面の簡単な説明】
【００４１】
【図１】この発明の一実施の形態のベッド装置の概略的構成を示す側面図。
【図２】ベッドフレームを下面から見た図。
【図３】ベッドフレームに設けられたシリアルバスコネクタのオス側端子部と手元スイッチに設けられたメス側端子部を示す図。
【符号の説明】
【００４２】
４…ベッドフレーム、５…ベッドフレーム、８…昇降用駆動源、１２…背上げ用駆動源、１３…脚上げ用駆動源、２１…手元スイッチ、３１…コントローラ、３２…中継コード、３３…分配器、３４…シリアルバスコネクタ、３４ａ…オス側端子部、３４ａ…メス側端子部、３６…接続コード。
【図１】
2008295845.tif 000003
【図２】
2008295845.tif 000004
【図３】
2008295845.tif 000005